(57)【特許請求の範囲】
【請求項１】
相手側コネクタと嵌合する電気コネクタ用のコンタクト一体型コネクタケースであって、
複数の接点部を形成した電子部品が装入可能な開口を有し、該開口を通じて前記電子部品を収容する収容ケースと、
該収容ケースに係合して前記開口を閉鎖する蓋カバーと、
前記電子部品に対向して前記接点部と分離可能に弾性接触する複数のコンタクトと、
を備え、
前記収容ケースが、前記相手側コネクタを構成する先端挿入部材の挿抜が可能な角筒状に形成された嵌合部と、前記収容ケースと前記蓋カバーとが係合したケース組立状態で、前記電子部品を収容し、前記嵌合部から後方に延び、前記蓋カバー及び前記収容ケースで区画形成した内部空間を有する収容部とを備え、
前記蓋カバーが、前記ケース組立状態で、前記開口を閉鎖する閉鎖部と、該閉鎖部に一体的に形成され、前記嵌合部内に挿入される挿入部とを備え、
前記挿入部が、前記複数のコンタクトを保持するように構成されていることを特徴とするコンタクト一体型コネクタケース。
【請求項２】
前記収容ケースの前記収容部又は前記蓋カバーの前記閉鎖部が、前記電子部品を圧入固定により保持するように構成されていることを特徴とする請求項１に記載のコンタクト一体型コネクタケース。
【請求項３】
前記複数のコンタクトが、２種類のコンタクトで構成され、
前記２種類のコンタクトのうち、一方のコンタクトが、前記挿入部に圧入固定により保持され、他方のコンタクトが、部分的に、前記挿入部の壁部内に埋設されて保持されることを特徴とする請求項２に記載のコンタクト一体型コネクタケース。
【請求項４】
前記電子部品の接点部が、ＵＳＢ規格に準拠して配置されているパッドであり、
前記一方のコンタクトは、前記電子部品のＵＳＢ３．０用のパッドと接触し、
前記他方のコンタクトは、前記電子部品のＵＳＢ２．０用のパッドと接触することを特徴とする請求項３に記載のコンタクト一体型コネクタケース。
【請求項５】
前記収容ケースの、前記嵌合部と前記収容部とは一体又は別体に形成されていることを特徴とする請求項２、３又は４に記載のコンタクト一体型コネクタケース。
【請求項６】
複数の接点部を形成した電子部品と、
前記電子部品が装入可能な開口を有し、前記電子部品を収容した収容ケースと、該収容ケースに係合して前記開口を閉鎖する蓋カバーと、前記収容ケースと前記蓋カバーとが係合したケース組立状態で、前記電子部品に対向して前記接点部と分離可能に弾性接触している複数のコンタクトと、を有するコンタクト一体型コネクタケースと、
を備え、
前記電子部品は、前記収容ケースと前記蓋カバーとの間で挟持されており、
前記収容ケースが、相手側コネクタを構成する先端挿入部材の挿抜が可能な角筒状に形成された嵌合部と、前記収容ケースと前記蓋カバーとが係合したケース組立状態で、前記電子部品を収容し、前記嵌合部から後方に延び、前記蓋カバー及び前記収容ケースで区画形成した内部空間を有する収容部とを備え、
前記蓋カバーが、前記ケース組立状態で、前記開口を閉鎖する閉鎖部と、該閉鎖部に一体的に形成され、前記嵌合部内に挿入される挿入部とを備え、
前記挿入部が、前記複数のコンタクトを保持していることを特徴とする相手側コネクタと嵌合する電気コネクタ。
【請求項７】
複数の接点部を形成した電子部品と、
前記電子部品が挿入可能な開口を有し、前記電子部品を収容した収容ケース、該収容ケースに係合して前記開口を閉鎖する蓋カバー、及び前記収容ケースと前記蓋カバーとが係合したケース組立状態で、前記電子部品に対向して前記接点部と分離可能に弾性接触している、前記蓋カバーに保持されている複数のコンタクト、を有するコンタクト一体型コネクタケースであって、
前記収容ケースが、相手側コネクタを構成する先端挿入部材の挿抜が可能な角筒状に形成された嵌合部と、前記収容ケースと前記蓋カバーとが係合したケース組立状態で、前記電子部品を収容し、前記嵌合部から後方に延び、前記蓋カバー及び前記収容ケースで区画形成した内部空間を有する収容部とを備え、
前記蓋カバーが、前記ケース組立状態で、前記開口を閉鎖する閉鎖部と、該閉鎖部に一体的に形成され、前記嵌合部内に挿入される挿入部とを備え、
前記挿入部が、前記複数のコンタクトを保持している、
コンタクト一体型コネクタケースと、を備える相手側コネクタと嵌合する電気コネクタの組立て方法であって、
前記電子部品を、前記収容ケース又は前記蓋カバーに取り付け、
前記蓋カバーを前記収容ケースに係合させる
ことを特徴とする電気コネクタの組立て方法。
【発明の詳細な説明】
【技術分野】
【０００１】
本発明は、相手側コネクタと嵌合する電気コネクタ用のコンタクト一体型コネクタケース、電気コネクタ及び電気コネクタの組立て方法に関する。
【背景技術】
【０００２】
相手側コネクタに着脱自在に嵌合する電気コネクタとして、例えばＵＳＢ規格に準拠したＵＳＢ（Universal Serial Bus）機器が知られている。ＵＳＢ機器は、記憶装置や無線装置、ＴＶチューナ等、種々の装置に用いられている。最近では、ＵＳＢ２．０よりも高速なＵＳＢ３．０の規格に準拠する製品も増えてきた。
ＵＳＢは、上位互換性を持っており、ＵＳＢ３．０の規格に準拠したＵＳＢ機器は、ＵＳＢ２．０の規格に準拠する相手側のＵＳＢ機器と通信を行うことが可能である。ＵＳＢ機器のうち、例えばプラグコネクタとしてのＵＳＢコネクタを備えるＵＳＢメモリは、レセプタクルコネクタに嵌合することで互いに電気的に通信することができる。
【０００３】
特許文献１に記載されているＵＳＢメモリは、ＵＳＢコネクタ、コントローラ、メモリパッケージ等を搭載した電子部品（基板）が、２つのケース部（上ケース及び下ケース）からなるケースに収容された構成である。ＵＳＢコネクタは、ＵＳＢソケットを備えたホスト機器（相手側コネクタ）との接続のためのインタフェースであり、ＵＳＢ３．０でのデータ転送用の端子（コンタクト）とＵＳＢ２．０でのデータ転送用の端子（コンタクト）との両方を備えている。ＵＳＢコネクタは、通常、ケースへの収容前に、予め電子部品上に、例えば半田付け等により実装されている。
【先行技術文献】
【特許文献】
【０００４】
【特許文献１】特開２０１１−２１６０７７号公報
【発明の概要】
【発明が解決しようとする課題】
【０００５】
特許文献１に記載されているＵＳＢメモリのような電気コネクタにおいて、ＵＳＢコネクタは、半田付けすることにより電子部品に実装されている。特にＵＳＢコネクタは、材料コストが高い。さらに、ＵＳＢコネクタを、電子部品へ半田付けにより実装する必要があるため、ＵＳＢコネクタを用いた場合、電気コネクタの製造の作業コストも極めて大きかった。また、ＵＳＢコネクタと電子部品との半田付けの際に、位置ずれが生じた場合、最終的に電気コネクタとして、相手側コネクタと接続した場合に接続信頼性が低くなるおそれもあった。
【０００６】
そこで、本発明の目的は、コンタクトと電子部品（例えば基板）との接続に、専用の接続コネクタを用いず、かつ電子部品との半田付けを不要とし、簡単な構造でコンタクトと電子部品との接続を可能にして、部品点数（接続コネクタ）及び製造工程数（半田付け）を減じ、電気コネクタの製造にかかるコストを大幅に減じることができ、電気コネクタとして接続信頼性を高めることができる、電気コネクタ用のコンタクト一体型コネクタケースを提供することにある。
【課題を解決するための手段】
【０００７】
上記目的を達成するため、本発明の要旨構成は以下の通りである。
【０００８】
（１）相手側コネクタと嵌合する電気コネクタ用のコンタクト一体型コネクタケースは、複数の接点部を形成した電子部品が装入可能な開口を有し、該開口を通じて前記電子部品を収容する収容ケースと、該収容ケースに係合して前記開口を閉鎖する蓋カバーと、前記電子部品に対向して前記接点部と分離可能に弾性接触する複数のコンタクトと、を備え、前記収容ケース又は前記蓋カバーのいずれかが、前記複数のコンタクトを保持し、かつ前記収容ケース又は前記蓋カバーのいずれかが、前記前記電子部品を保持するように構成されていることを特徴とするコンタクト一体型コネクタケースである。
【０００９】
（２）前記収容ケースが、前記相手側コネクタを構成する先端挿入部材の挿抜が可能な角筒状に形成された嵌合部と、前記収容ケースと前記蓋カバーとが係合したケース組立状態で、前記電子部品を収容し、前記嵌合部から後方に延び、前記蓋カバー及び前記収容ケースで区画形成した内部空間を有する収容部とを備え、前記蓋カバーが、前記ケース組立状態で、前記開口を閉鎖する閉鎖部と、該閉鎖部に一体的に形成され、前記嵌合部内に挿入される挿入部とを備え、前記嵌合部又は前記挿入部が、前記複数のコンタクトを保持するように構成されていて、前記収容部又は前記閉鎖部が、前記電子部品を圧入固定により保持するように構成されていることを特徴とする上記（１）に記載のコンタクト一体型コネクタケースである。
【００１０】
（３）前記複数のコンタクトが、２種類のコンタクトで構成され、前記２種類のコンタクトのうち、一方のコンタクトが、前記嵌合部又は前記挿入部に圧入固定により保持され、他方のコンタクトが、部分的に、前記嵌合部又は前記挿入部の壁部内に埋設されて保持されることを特徴とする上記（２）に記載のコンタクト一体型コネクタケースである。
【００１１】
（４）前記電子部品の接点部が、ＵＳＢ規格に準拠して配置されているパッドであり、前記一方のコンタクトは、前記電子部品のＵＳＢ３．０用のパッドと接触し、前記他方のコンタクトは、前記電子部品のＵＳＢ２．０用のパッドと接触することを特徴とする上記（３）に記載のコンタクト一体型コネクタケースである。
【００１２】
（５）前記収容ケースの、前記嵌合部と前記収容部とは一体又は別体に形成されていることを特徴とする特徴とする上記（２）、（３）又（４）に記載のコンタクト一体型コネクタケースである。
【００１３】
（６）前記蓋カバーが、前記複数のコンタクト及び前記電子部品を保持するように構成されていることを特徴とする上記（１）から（５）までのいずれか１項に記載のコンタクト一体型コネクタケースである。
【００１４】
（７）前記収容ケースが、前記複数のコンタクト及び前記電子部品を保持するように構成されていることを特徴とする上記（１）から（５）までのいずれか１項に記載のコンタクト一体型コネクタケース。
【００１５】
（８）複数の接点部を形成した電子部品と、前記電子部品が装入可能な開口を有し、前記電子部品を収容した収容ケースと、該収容ケースに係合して前記開口を閉鎖する蓋カバーと、前記収容ケースと前記蓋カバーとが係合したケース組立状態で、前記電子部品に対向して前記接点部と分離可能に弾性接触している複数のコンタクトと、を有するコンタクト一体型コネクタケースと、を備え、前記収容ケース又は前記蓋カバーのいずれかが、前記複数のコンタクトを保持し、かつ前記収容ケース又は前記蓋カバーのいずれかが、前記電子部品を保持し、前記電子部品は、前記収容ケースと前記蓋カバーとの間で挟持されていることを特徴とする相手側コネクタと嵌合する電気コネクタである。
【００１６】
（９）複数の接点部を形成した電子部品と、前記電子部品が挿入可能な開口を有し、前記電子部品を収容した収容ケース、該収容ケースに係合して前記開口を閉鎖する蓋カバー、及び前記収容ケースと前記蓋カバーとが係合したケース組立状態で、前記電子部品に対向して前記接点部と分離可能に弾性接触している、前記収容ケース又は前記蓋カバーに保持されている複数のコンタクト、を有するコンタクト一体型コネクタケースと、を備える相手側コネクタと嵌合する電気コネクタの組立て方法であって、前記電子部品を、前記収容ケース又は前記蓋カバーに取り付け、前記蓋カバーを前記収容ケースに係合させることを特徴とする電気コネクタの組立て方法である。
【発明の効果】
【００１７】
本発明に従う電気コネクタ用のコンタクト一体型コネクタケースによれば、複数の接点部を形成した電子部品が装入可能な開口を有し、開口を通じて電子部品を収容する収容ケースと、収容ケースに係合して開口を閉鎖する蓋カバーと、電子部品に対向して接点部と分離可能に弾性接触する複数のコンタクトと、を備え、収容ケース又は蓋カバーのいずれかが、複数のコンタクトを保持し、かつ収容ケース又は蓋カバーのいずれかが、電子部品を保持するように構成されていることにより、収容ケースにカバーを係合させてケース組立状態を確保するだけで、コネクタと電子部品との接続構造を形成することが可能になるので、従来、コンタクトと電子部品との接続のために必要であった専用の接続コネクタを省略することができ、コンタクトと電子部品との接続を簡単かつ低コストで実現することができる。
【図面の簡単な説明】
【００１８】
【図１】図１は、電気コネクタの部分断面斜視図である。
【図２】図２は、電気コネクタの分解斜視図である。
【図３】図３は、電気コネクタ用のコンタクト一体型コネクタケースの分解斜視図であり、コネクタを取り除いて示す図であり、図３（Ａ）は蓋カバーを裏面側から示す図であり、図３（Ｂ）は収容ケースを開口側から示す図である。
【図４】図４は、コンタクト一体型コネクタケースの蓋カバーを、表面側から見た斜視図である。
【図５】図５は、２種類のコンタクトの斜視図であり、図５（Ａ）はＵＳＢ３．０用のコンタクトの斜視図であり、図５（Ｂ）はＵＳＢ２．０用のコンタクトの斜視図である。
【図６】図６は、電気コネクタの相手側コネクタとの嵌合状態における長手方向断面図であり、図６（Ａ）は、ＵＳＢ３．０用のコンタクトにおける断面図であり、図６（Ｂ）は、ＵＳＢ２．０用のコンタクトにおける断面図である。
【発明を実施するための形態】
【００１９】
次に、本発明に従うコンタクト一体型コネクタケースを用いた電気コンタクトの実施形態について、図面を参照しながら以下で説明する。なお、以下に示す実施形態は一つの例示であり、本発明の範囲において、種々の形態をとりうる。
【００２０】
図１は、電気コネクタを部分的に断面にして斜視的に示す。図２は、電気コネクタを、収容ケース、蓋カバー及び電子部品に分解して斜視的に示す。図３は、コンタクトを取り除いた状態でコンタクト一体型コネクタケースを斜視的に示し、図３（Ａ）は蓋カバーを裏面側から示し、図３（Ｂ）は、収容ケースを開口側から示す。図４は、コンタクト一体型コネクタケースの蓋カバーを、表面側から斜視的に示す。図５は、コンタクトを斜視的に示し、図５（Ａ）は、ＵＳＢ３．０用のコンタクトを示し、図５（Ｂ）は、ＵＳＢ２．０用のコンタクトを示す。図６は、電気コネクタ１０の相手側コネクタ２０との嵌合状態を長手方向に沿って断面して示し、図６（Ａ）は、ＵＳＢ３．０用のコンタクト７における部分を断面にして示し、図６（Ｂ）は、ＵＳＢ２．０用のコンタクト８における部分を断面にして示す。
【００２１】
＜電気コネクタの構成＞
電気コネクタ１０は、例えばＵＳＢ規格に準拠したＵＳＢ装置であり、記憶装置や無線装置、ＴＶチューナ等、種々の装置において用いられている。図１に示す実施形態では、ＵＳＢ装置１０は、プラグコネクタとして構成されており、何らかの情報処理を行うＩＣが実装又は内蔵されている電子部品１と、電子部品１に分離可能に弾性接触しているコンタクト６を有するコンタクト一体型コネクタケース３と、を備えている。
また、電子部品１は、コンタクト一体型コネクタケース３に接続されているケーブル（図示略）等に接続されていてもよい。
なお、ＵＳＢ装置１０の全体で見て、先後（前後）方向（長さ方向又は長手方向、ともいう）をＸとして、前方をＸ１、後方をＸ２と定義する。また、横方向（幅方向又は短手方向、ともいう）をＹと定義し、厚さ方向（高さ方向ともいう）をＺとする。
【００２２】
（電子部品）
図２に示す実施形態では、電子部品１は基板である。基板１は、後述するコンタクト一体型コネクタケース３の収容ケース４に収容されていて、基材としては、プラスチックのような合成樹脂材料から形成されている。基板１は、その表面に、相手側コネクタ２０との電気的な通信を可能にする複数の接点部２を形成している。
また、図２に示す基板１においては接点部２を覆わない位置に、コントローラや、メモリパッケージ等の電子システムが設けられている構造であるが、基板１は、上記の種々の電子システムを内蔵する、図示しないＳｉＰ（Ｓｙｓｔｅｍ  ｉｎ  Ｐａｃｋａｇｅ）構造であってもよい。
【００２３】
基板１の接点部２は、図示の実施形態では、ＵＳＢ規格に準拠して配置された４つのＵＳＢ２．０用のパッド２ａ及び５つのＵＳＢ３．０用のパッド２ｂで構成されている。ＵＳＢ２．０用のパッド２ａ及びＵＳＢ３．０用のパッド２ｂは、基板１に交互に配置されている。
なお、パッド２ａ、２ｂは、コンタクト６との接触が可能になるのであれば、図示するような矩形状に限定されるものではなく、円形、楕円形等のあらゆる形状を採用することができる。
【００２４】
（コンタクト一体型コネクタケース）
本発明の構成上の主な特徴は、コンタクト一体型コネクタケース３の構成の適正化を図ることにあり、具体的には、相手側コネクタ２０と嵌合する電気コネクタ１０用のコンタクト一体型コネクタケース３が、複数の接点部２を形成した電子部品１が装入可能な開口４１を有し、開口４１を通じて電子部品１を収容する収容ケース４と、収容ケース４に係合して開口４１を閉鎖する蓋カバー５と、電子部品１に対向して接点部２と分離可能に弾性接触する複数のコンタクト６と、を備え、収容ケース４又は蓋カバー５のいずれかが、複数のコンタクト６を保持し、かつ収容ケース４又は蓋カバー５のいずれかが、電子部品１を保持するように構成されていることにある。この構成により、基板１の接点部２とコンタクト６とは、従来のように、コネクタケース内に基板を収容する前に、コンタクトと基板とを予め半田付けする必要はなく、また、コンタクトと基板とを接続する専用のコネクタも必要ない。これにより、コンタクト一体型コネクタケース３は、簡単な構造で、基板１の接点部２とコンタクト６との接触精度の高い接続を低コストで実現することができる。さらに、基板１に障害が発生した場合であっても、収容ケース４と蓋カバー５との係合を解除して基板１を取り外すだけで、基板１を簡単に交換することができる。
また、図２に示すように、蓋カバー５が、複数のコンタクト６及び基板１を保持していることが好ましい。この構成により、蓋カバー５を収容ケース４と係合させる前に、基板１とコンタクト６とを蓋カバー５において互いに接続させておくことができる。コンタクト一体型コネクタケース３の組立ては、基板１を保持した蓋カバー５を、収容ケース４に係合させるだけでよく、より簡単になる。
【００２５】
［収容ケース］
収容ケース４は、図２及び図３（Ａ）に示すように、基板１が挿入可能な開口４１を有し、基板１を開口４１を通じて収容する。より具体的には、収容ケース４は、相手側コネクタ２０を構成する先端挿入部材２１（図６参照）の挿抜が可能な角筒状に形成された嵌合部４２と、収容ケース４及び蓋カバー５が互いに係合したケース組立状態で、基板１を収容し、嵌合部４２から後方Ｘ２側に延び、蓋カバー５及び収容ケース４で区画形成した内部空間を有する収容部４３とを備えている。
ここで、「収容ケース４の収容部４３に基板１を収容する」とは、収容部４３に直接基板１が装入される場合、及び基板１が蓋カバー５に保持された状態で、収容部４３に装入される場合を意味する。
【００２６】
嵌合部４２は、相手側コネクタ２０と嵌合可能な、例えば角筒状に構成されていて、その中空部４２ａは、相手側コネクタ２０の先端挿入部材２１が挿抜可能な寸法を有している。
さらに、嵌合部４２の外表面には、相手側コネクタ２０の所定の弾性部材と係合する、嵌合部４２を貫通していない、２つの係合部４２ｂが形成されている。係合部４２ｂは、嵌合部４２を貫通した係合孔として形成されていてもよく、係合部４２ｂの形状や配設個数等は、必要に応じて適宜選択して配設することができる。
【００２７】
収容部４３は、基板１を収容する部分であり、内部空間が、嵌合部４２の中空部４２ａに連通するようにして嵌合部４２から後方Ｘ２側に延びている。また、収容部４３は、基板１の出し入れを可能にする開口４１を有している。収容部４３は、主に電子システムと共に基板１全体を収容する。
収容部４３の内面には、ケース組立状態において、蓋カバー５に保持されている基板１を、蓋カバー５と共に挟持する、３つの押さえ部材４４、４５、４５が形成されている。具体的には、収容部４３の内部空間の前方Ｘ１側、つまり嵌合部４２側で、幅方向Ｙにおいて収容部４３の中央に１つの押さえ部材４４が形成されている。さらに、収容部４３の後方Ｘ２側で、前後方向Ｘの位置が同じ位置で幅方向Ｙにおいて互いに間隔をあけて２つの押さえ部材４５、４５が形成されている。
押さえ部材４４、４５が、コンタクト一体型コネクタケース３の組立て時に、後述する蓋カバー５に保持されている基板１を、蓋カバー５とは反対側から押さえ付ける。これにより、コンタクト６と基板１の接点部２との接触はより確実になる。
また、収容部４３の両側壁部の後方Ｘ２側には、蓋カバー５の一対の係合部５６が係合して、ケースの組立状態を維持する、凹状に形成された一対の被係合部４６が設けられている。
【００２８】
収容ケース４の、嵌合部４２と収容部４３とは一体又は別体に形成されている。図示の実施形態においては、収容ケース４は、嵌合部４２及び収容部４３を、例えばプラスチックのような合成樹脂を射出成形することにより一体成形品として形成されているが、嵌合部４２を金属部材として、収容部４３にモールド成形により一体に形成することもできる。
【００２９】
（蓋カバー）
蓋カバー５は、収容ケース４に係合して、ケース組立状態で開口４１を閉鎖し、図２〜図４に示すように、ケース組立状態で、開口４１を閉鎖する閉鎖部５１と、閉鎖部５１に一体的に形成され、嵌合部４２内に挿入される挿入部５２とを備えている。
蓋カバー５は、例えばプラスチックのような合成樹脂を射出成形することにより閉鎖部５１及び挿入部５２を一体にして形成されている。
【００３０】
［閉鎖部］
閉鎖部５１は、収容部４３の開口４１を実際に閉鎖するものである。
閉鎖部５１は、基板１を保持するように構成されている。具体的には、閉鎖部５１の、ケース組立状態において収容部４３の内部空間を臨む面（以下、「裏面」ともいう）に、基板１を保持する４つの圧入保持部材５３が一体に形成されている。基板１は、圧入保持部材５３に圧入されて、蓋カバー５から落下しないように適切な位置で位置固定されて保持されている。ここで「適切な位置」とは、蓋カバー５の後述する挿入部５２に保持されているコンタクト６が、圧入保持部材５３に保持されている基板１の接点部２と、位置ずれなく接触する位置のことである。
圧入保持部材５３は、ケース組立状態において、収容ケース４の押さえ部材４４、４５と協働して基板１を、コンタクト一体型コネクタケース３において挟持している。
【００３１】
圧入保持部材５３は、閉鎖部５１の裏面において、挿入部５２側で、前後方向Ｘの位置が同じ位置で幅方向Ｙにおいて互いに間隔をおいて２つ、後方Ｘ２側で、前後方向Ｘの位置が同じ位置で幅方向Ｙにおいて互いに間隔をおいて２つの合計４つ形成されている。
圧入保持部材５３は、平面視においてＬ字形及び逆（Ｌ字形の鏡面対称）Ｌ字形をなして配置されている壁部５３ａを有し、壁部５３ａの角隅に台座５３ｂを有している。各圧入保持部材５３は互いに角隅を向かい合わせて設けられている。
台座５３ｂの高さは、ケース組立状態において基板１を保持した圧入保持部材５３において、例えば基板１が壁部５３ａを超えないように寸法設定されている（図６（Ａ）参照）。
各圧入保持部材５３の壁部５３ａの内面にはそれぞれ、高さ方向Ｚに延在する複数の凸条部５３ｃが形成されている。圧入保持部材５３において基板１は、その角縁部が凸条部５３ｃと接触することで摩擦抵抗が生じ、これにより、圧入保持部材５３において圧入保持されることになる。
なお、圧入保持部材５３の構成は、基板１が圧入保持されるのであれば、上記の構成に限定されない。
【００３２】
閉鎖部５１の裏面の両側部には、前後方向Ｘに沿って延在している条片部５５が形成されている。条片部５５は、閉鎖部５１の各側部において、前後方向Ｘに並んでいる２つの圧入保持部材５３の間を延在し、後方Ｘ２側に位置する圧入保持部材５３を少し超えて延在している。条片部５５は、蓋カバー５と収容ケース４とを係合させてケースを組み立てる際に、収容ケース４の収容部４３の側壁に接触して、蓋カバー５を収容ケース４に円滑に係合させる。
また、ケース組立状態において、収容ケース４の収容部４３に形成されている一対の被係合部４６に対応する条片部５５の位置に、凸状の係合部５６が形成されている。蓋カバー５の係合部５６は、ケース組立状態において、収容ケース４の被係合部４６に係合して、蓋カバー５を収容ケース４において確実に係止する。
【００３３】
［挿入部］
挿入部５２はその裏面側で、後述する複数のコンタクト６を一体に保持しているように構成されている。具体的には、２種類のコンタクトで構成されている複数のコンタクト６のうち、一方は、挿入部５２に圧入固定により保持されている第１コンタクト７であり、他方は、部分的に挿入部５２の壁部内に埋設されて保持されている第２コンタクト８である。
挿入部５２は、閉鎖部５１側に壁厚を大きくした肉厚部分５７を有していて、第１コンタクト７は肉厚部分５７で圧入固定されている。具体的には、図３に示すように、肉厚部分５７には、少なくとも第１コンタクト７の数に対応した溝５７ａが形成されていて、第１コンタクト７はそれぞれ溝５７ａに圧入されている。より具体的には、図６（Ａ）に示すように、各溝５７ａをそれぞれ仕切る仕切壁５７ｂの間に、第１コンタクト７の後述するＵ字部７１の形状に対応した、第１コンタクト７と係合する係合壁部５７ｃが設けられている。
挿入部５２の仕切壁５７ｂの壁部内には、図６（Ｂ）に示すように、第２コンタクト８が、例えばモールド成形により部分的に埋設されて挿入部５２と一体に形成されている。また、第２コンタクト８の、相手側コネクタ２０と接触する接触部８１は、図２に示すように、挿入部５２の前方Ｘ１側において、表面が露出するようにして挿入部５２に一体に成形されている。
【００３４】
なお、図３においては、説明の便宜上、第１コンタクト７及び第２コンタクト８を取り除いて、コンタクト一体型コネクタケース３を示した。
また、両方の第１コンタクト７及び第２コンタクト８のいずれもが、挿入部５２において圧入により保持されていてもよく、又は、挿入部５２の壁部内に部分的に埋設されて保持されていてもよい。
挿入部５２の表面は、図４に示すように、閉鎖部５１の表面より閉鎖部５１の裏面側に位置している。これにより、挿入部５２の表面側で、挿入部５２と閉鎖部５１との移行部は段状に形成されている。移行部が段状に形成されていることにより、挿入部５２の移行部が収容ケース４の嵌合部４２に当接するので、挿入部５２は嵌合部４２に安定的に挿入された状態を維持することができる。
【００３５】
［コンタクト］
コンタクト６は、上述のように、２種類の第１コンタクト７及び第２コンタクト８で構成されている。また、コンタクト６の材質は、バネ性や導電性を有していればよく、特に限定はしないが、例えば黄銅、ベリリウム銅、リン青銅等を挙げることができる。
【００３６】
第１コンタクト７は、側面から見て、略Ω状に形成されていて、図５（Ａ）に示すように、蓋カバー５の挿入部５２における係合壁部５７ｃに係合するＵ字部７１と、Ｕ字部７１の一方の端部から前方Ｘ１側に延在する第１脚部７２と、他方の端部から後方Ｘ２側に延在する第２脚部７３と、を有している。
Ｕ字部７１の各端部間の間隔ｗは、挿入部５２の係合壁部５７ｃの、前後方向Ｘでの長さ以下の寸法である。第１脚部７２は先端側に、図６（Ａ）に示すように、相手側コネクタ２０の先端挿入部材２１に設けられたＵＳＢ３．０用のコンタクト２２と弾性接触する、湾曲して形成された接触部７２ａを有している。また、第２脚部７３は先端側に、基板１のＵＳＢ３．０用のパッド２ｂと弾性接触する、湾曲して形成された接触部７３ａを有している。
第１脚部７２及び第２脚部７３はそれぞれ、予付勢を掛けられて、Ｕ字部７１との連結部から先端側へとＵ字部７１の膨出側に向かって斜めに延在している。
【００３７】
第２コンタクト８は、図５（Ｂ）に示すように、前方Ｘ１側に、相手側コネクタ２０の先端挿入部材２１に設けられたＵＳＢ２．０用のコンタクト２３と接触する平板状に形成された接触部８１を有し、後方Ｘ２側に、基板１のＵＳＢ２．０用のパッド２ａと弾性接触する脚部８２を有している。脚部８２の先端側は湾曲して形成された接触部８２ａを有し、接触部８２ａは、基板１のＵＳＢ２．０用のパッド２ａに弾性接触する。
なお、図５（Ｂ）に示すように、第２コンタクト８の接触部８１には、大きさの異なる２つの接触部があるが、その用途及び機能については同じである。
【００３８】
＜電気コネクタの組立て方法＞
次に、電気コネクタ１０の組立て方法について説明する。
まず、基板１を、蓋カバー５の閉鎖部５１に形成されている４つの圧入保持部材５３の内側に圧入して固定する。この状態において、基板１に形成されている各接点部２は、蓋カバー５の挿入部５２に保持されているコンタクト６と適切に接触している。
次いで、蓋カバー５を、収容ケース４に係合させる。具体的には、蓋カバー５の挿入部５２を、収容ケース４の嵌合部４２内に開口４１側から挿入し、蓋カバー５の閉鎖部５１に形成されている係合部５６を、収容ケース４の収容部４３に形成されている被係合部４６と係合させる。このケース組立状態において、基板１は、収容ケース４の収容部４３に形成されている押さえ部材４４、４５により、収容ケース４側から蓋カバー５に向かって押さえ付けられ、コンタクト６と基板１の接点部２との接触がより確実になる。
以上で、コンタクト一体型コネクタケース３を用いた電気コネクタ１０の組立ては完了する。
【００３９】
＜変形例１＞
次に、コンタクト一体型コネクタケース３の変形例１（図示略）を、コンタクト一体型コネクタケース３と異なる点についてのみ説明する。
上記のコンタクト一体型コネクタケース３とは異なり、複数のコンタクト６は、蓋カバー５の挿入部５２に保持されておらず、収容ケース４の嵌合部４２に保持されている。つまり、コンタクト一体型コネクタケース３においてコンタクト６を保持していた構成、具体的には肉厚部分５７が、収容ケース４の嵌合部４２に形成されている。さらに、基板１は、蓋カバー５の閉鎖部５１に圧入保持されているのではなく、収容ケース４の収容部４３に圧入保持されている。つまり、コンタクト一体型コネクタケース３において蓋カバー５に形成されていた圧入保持部材５３が、収容ケース４の収容部４３に形成されている。
変形例１のコンタクト一体型コネクタケースを用いて、電気コネクタを組み立てる場合、まず、基板１を、収容ケース４の収容部４３に形成されている４つの圧入保持部材の内側に圧入して固定する。この状態において、基板１に形成されている各接点部２は、収容ケース４の嵌合部４２に保持されているコンタクト６と適切に接触している。
次いで、蓋カバー５を、収容ケース４に係合させて、コンタクト一体型コネクタケースを用いた電気コネクタの組立ては完了する。
【００４０】
＜変形例２＞
次に、コンタクト一体型コネクタケース３の変形例２（図示略）を、コンタクト一体型コネクタケース３と異なる点についてのみ説明する。
上記のコンタクト一体型コネクタケース３とは異なり、基板１は、蓋カバー５の閉鎖部５１に圧入保持されているのではなく、収容ケース４の収容部４３に圧入保持されている。つまり、コンタクト一体型コネクタケース３において蓋カバー５に形成されていた圧入保持部材５３が、収容ケース４の収容部４３に形成されている。
なお、複数のコンタクト６は、蓋カバー５の挿入部５２に保持されている。
変形例２のコンタクト一体型コネクタケースを用いて、電気コネクタを組み立てる場合、まず、基板１を、収容ケース４の収容部４３に形成されている４つの圧入保持部材の内側に圧入して固定する。
次いで、蓋カバー５を、収容ケース４に係合させる。この状態において初めて、基板１に形成されている各接点部２が、蓋カバー５の挿入部５２に保持されているコンタクト６と適切に接触する。以上で、コンタクト一体型コネクタケースを用いた電気コネクタの組立ては完了する。
【００４１】
＜変形例３＞
次に、コンタクト一体型コネクタケース３の変形例３（図示略）を、コンタクト一体型コネクタケース３と異なる点についてのみ説明する。
複数のコンタクト６は、変形例１と同様に収容ケース４の嵌合部４２に保持されているので、説明は省略する。なお、基板１は、蓋カバー５の閉鎖部５１に圧入保持されている。
変形例３のコンタクト一体型コネクタケースを用いて、電気コネクタを組み立てる場合、まず、基板１を、蓋カバー５の閉鎖部５１に形成されている４つの圧入保持部材に圧入して固定する。
次いで、蓋カバー５を、収容ケース４に係合させる。この状態において初めて、基板１に形成されている各接点部２が、収容ケース４の嵌合部４２に保持されているコンタクト６と適切に接触する。以上で、コンタクト一体型コネクタケースを用いた電気コネクタの組立ては完了する。
【産業上の利用可能性】
【００４２】
本発明に従うコンタクト一体型コネクタケース３によれば、従来のように、コネクタケース内に基板を収容する前に、コンタクトと基板とを予め半田付けする必要はなく、また、コンタクトを基板に接続する専用のコネクタも必要ない。これにより、コンタクト一体型コネクタケース３は、簡単な構造でかつ低コストで、基板１の接点部２とコンタクト６との接続を実現することができる。
【符号の説明】
【００４３】
１  電子部品又は基板
２  接点部
２ａ  ＵＳＢ２．０用のパッド
２ｂ  ＵＳＢ３．０用のパッド
３  コンタクト一体型コネクタケース
４  収容ケース
５  蓋カバー
６  コンタクト
７  第１コンタクト
８  第２コンタクト
１０  電気コネクタ
２０  相手側コネクタ
４１  開口
４２  嵌合部
４３  収容部
５１  閉鎖部
５２  挿入部
【図１】
0006619281.tif 000002
【図２】
0006619281.tif 000003
【図３】
0006619281.tif 000004
【図４】
0006619281.tif 000005
【図５】
0006619281.tif 000006
【図６】
0006619281.tif 000007